【手続補正書】
【提出日】平成23年2月2日(2011.2.2)
【手続補正１】
【補正対象書類名】特許請求の範囲
【補正対象項目名】全文
【補正方法】変更
【補正の内容】
【特許請求の範囲】
【請求項１】
映像データを複数の再生モードでトリック再生する機能を有し、トリック再生された映像データのフレーム補間処理を行う第１のフレーム補間手段を有する映像再生装置と通信可能な映像表示装置であって、前記映像再生装置から伝送された映像データのフレーム補間処理を行う第２のフレーム補間手段と、
前記映像再生装置と前記映像表示装置との間で伝送可能なフレームレートに関する情報と、前記第１および第２のフレーム補間手段で実施可能な補間処理に関する情報に基づき、前記トリック再生の再生モードに応じて、前記第１のフレーム補間手段の動作と前記第２のフレーム補間手段の動作を制御する制御手段と、を有することを特徴とする映像表示装置。
【請求項２】
前記トリック再生の複数の再生モードに対応した、前記第１のフレーム補間手段の動作内容と、前記第１のフレーム補間手段の動作内容とを示すテーブルを記憶する記憶手段をさらに有し、
前記制御手段は、前記テーブルに従って、前記第１のフレーム補間手段の動作と前記第２のフレーム補間手段の動作を制御することを特徴とする請求項１に記載の映像表示装置。
【請求項３】
複数の表示フレームレートで映像データを表示することが可能な表示手段をさらに有し、
前記テーブルには、前記トリック再生の複数の再生モードに対応する表示フレームレートも示されていることを特徴とする請求項２に記載の映像表示装置。
【請求項４】
前記制御手段は、前記トリック再生が早送り再生モードの場合には、前記第１のフレーム補間手段の動作をオフし、かつ、前記第２のフレーム補間手段の動作をオフすることを特徴とする請求項１から請求項３までのいずれか１項に記載の映像表示装置。
【請求項５】
前記制御手段は、前記トリック再生がスロー再生モードの場合には、前記第１のフレーム補間手段の動作及び前記第２のフレーム補間手段の動作をオンすることを特徴とする請求項１から請求項３までのいずれか１項に記載の映像表示装置。
【請求項６】
映像データのフレーム補間処理を行う第２のフレーム補間手段を有する映像表示装置と通信可能な映像再生装置であって、
記録媒体に記録された映像データを複数の再生モードでトリック再生することが可能な再生手段と、
トリック再生された映像データのフレーム補間処理を行う第１のフレーム補間手段と、
前記映像再生装置と前記映像表示装置との間で伝送可能なフレームレートに関する情報と、前記第１および第２のフレーム補間手段で実施可能な補間処理に関する情報に基づき、前記トリック再生の再生モードに応じて、前記第１のフレーム補間手段の動作と前記第２のフレーム補間手段の動作を制御する制御手段と、を有することを特徴とする映像再生装置。
【請求項７】
映像データを複数の再生モードでトリック再生する機能を有し、トリック再生された映像データのフレーム補間処理を行う第１のフレーム補間手段を有する映像再生装置と通信可能な映像表示装置の制御方法であって、
前記映像表示装置は、前記映像再生装置から伝送された映像データのフレーム補間処理を行う第２のフレーム補間手段を有し、
前記映像再生装置と前記映像表示装置との間で伝送可能なフレームレートに関する情報と、前記第１および第２のフレーム補間手段で実施可能な補間処理に関する情報に基づき、前記トリック再生の再生モードに応じて、前記第１のフレーム補間手段の動作と前記第２のフレーム補間手段の動作を制御することを特徴とする映像表示装置の制御方法。
【請求項８】
映像データのフレーム補間処理を行う第２のフレーム補間手段を有する映像表示装置と通信可能な映像再生装置の制御方法であって、
前記映像再生装置は、記録媒体に記録された映像データを複数の再生モードでトリック再生することが可能な再生手段と、トリック再生された映像データのフレーム補間処理を行う第１のフレーム補間手段と、を有し、
前記映像再生装置と前記映像表示装置との間で伝送可能なフレームレートに関する情報と、前記第１および第２のフレーム補間手段で実施可能な補間処理に関する情報に基づき、前記トリック再生の再生モードに応じて、前記第１のフレーム補間手段の動作と前記第２のフレーム補間手段の動作を制御するステップを有することを特徴とする映像再生装置の制御方法。
【手続補正２】
【補正対象書類名】明細書
【補正対象項目名】発明の名称
【補正方法】変更
【補正の内容】
【発明の名称】映像表示装置、映像再生装置及びそれらの制御方法
【手続補正３】
【補正対象書類名】明細書
【補正対象項目名】００１１
【補正方法】変更
【補正の内容】
【００１１】
本発明は、トリック再生の再生モードに応じて映像再生装置と映像表示装置のフレーム補間の動作を制御することにより、トリック再生映像を高画質に表示可能とすることを目的とする。
【手続補正４】
【補正対象書類名】明細書
【補正対象項目名】００１２
【補正方法】変更
【補正の内容】
【００１２】
上記課題を解決するため、本発明の画像表示装置は、
映像データを複数の再生モードでトリック再生する機能を有し、トリック再生された映像データのフレーム補間処理を行う第１のフレーム補間手段を有する映像再生装置と通信可能な映像表示装置であって、前記映像再生装置から伝送された映像データのフレーム補間処理を行う第２のフレーム補間手段と、
前記映像再生装置と前記映像表示装置との間で伝送可能なフレームレートに関する情報と、前記第１および第２のフレーム補間手段で実施可能な補間処理に関する情報に基づき、前記トリック再生の再生モードに応じて、前記第１のフレーム補間手段の動作と前記第２のフレーム補間手段の動作を制御する制御手段と、を有することを特徴とする。
【手続補正５】
【補正対象書類名】明細書
【補正対象項目名】００１３
【補正方法】変更
【補正の内容】
【００１３】
また、本発明の画像再生装置は、
映像データのフレーム補間処理を行う第２のフレーム補間手段を有する映像表示装置と通信可能な映像再生装置であって、
記録媒体に記録された映像データを複数の再生モードでトリック再生することが可能な再生手段と、
トリック再生された映像データのフレーム補間処理を行う第１のフレーム補間手段と、
前記映像再生装置と前記映像表示装置との間で伝送可能なフレームレートに関する情報と、前記第１および第２のフレーム補間手段で実施可能な補間処理に関する情報に基づき、前記トリック再生の再生モードに応じて、前記第１のフレーム補間手段の動作と前記第２のフレーム補間手段の動作を制御する制御手段と、を有することを特徴とする。
【手続補正６】
【補正対象書類名】明細書
【補正対象項目名】００１７
【補正方法】変更
【補正の内容】
【００１７】
フレーム補間器４、二度書き・間引き器５は、第１のフレームレート変換手段に相当する。送信部６と受信部３２の通信インターフェイスは、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）を用いることができる。ＨＤＭＩを介して、ＤＶＤプレイヤー１とテレビ３１間で映像データ及び制御コマンドが通信される。テレビ３１の表示制御部３８は、受信部３２、第２のフレームレート変換手段に相当するフレーム補間器３４、表示部３５の動作を制御する。ＤＶＤプレイヤー１の通信部９とテレビの通信部３７は、ＨＤＭＩのＣＥＣ（Ｃｏｎｓｕｍｅｒ  Ｅｌｅｃｔｒｏｎｉｃｓ  Ｃｏｎｔｒｏｌ）ラインにより、機器情報や各部の設定内容に関する通信を行う。表示部３５は、液晶パネル、プラズマディスプレイパネル、エレクトロルミネッセンスパネル等の表示パネルからなり、複数の表示フレームレートで映像表示可能な表示装置である。図２は、ＤＶＤプレイヤー１及びテレビ３１での処理手順を示すフローチャートである。まず、ＤＶＤプレイヤー１及びテレビ３１の電源が投入されると、ＤＶＤプレイヤー１の再生制御部８が通信部９を介してテレビ３１の表示制御部３８と通信を行い、テレビ３１の機器情報を取得する（Ｓ５１）。テレビ３１の表示制御部３８が通信部３７を介してＤＶＤプレイヤー１の再生制御部８と通信を行い、ＤＶＤプレイヤー１の機器情報を取得してもよい。テレビ３１の機器情報とは、図４に示すように、受信部３２で受信可能なフレームレート、フレーム補間器３４でのフレームレート変更設定、表示部３５での表示フレームレートである。次に、取得したテレビ３１の機器情報と、ＤＶＤプレイヤー１の機器情報から、トリック再生時に最も高画質に再生できる機器設定を記述した機器設定テーブルを生成する（Ｓ５２）。ＤＶＤプレイヤー１の機器情報とは、図３に示すように、フレーム補間器４でのフレームレート変更設定、二度書き・間引き器５で実施可能な二度書き・間引き設定、送信部６で出力可能な出力フレームレートである。機器設定テーブルは、トリック再生時の再生モードに応じて、フレーム補間器４、二度書き・間引き器５及びフレーム補間器３４の動作を関連付けたテーブルである。図６は、トリック再生時に高画質な表示画像を得るための各ブロックの動作を記述した機器設定テーブルである。機器設定テーブルは、再生制御部８または表示再生部３８の中の記憶部に格納されている。機器設定テーブルには、等倍速再生、早送り再生（×２、×４、…）、スロー再生（×１／２、１／４、…）の各再生モードに対応して、各ブロックの動作が記述されている。各ブロックには、フレームレート変換ブロック（フレーム補間器４、３４、ニ度書き・間引き器５）及びＨＤＭＩ送受信部６、３２、及び表示部３５が含まれる。
【手続補正７】
【補正対象書類名】明細書
【補正対象項目名】００２９
【補正方法】変更
【補正の内容】
【００２９】
図９は、表示されるフレーム画像を模式的に示し、図１０は、表示フレーム画像に至るまでのフレーム画像の遷移過程を示す。ＤＶＤの元映像１０１はＤＶＤ再生部出力１０７でスロー１／４倍速で出力され、これをＤＶＤのフレーム補間器出力１０８で補間している。具体的には、フレームＡとフレームＢから生成したフレームＡ−Ｂを補間している。次に、二度書き・間引き器出力１１１では変更を加えずに出力する。次に、テレビのフレーム補間器出力１１２でフレーム補間を行う。具体的には、フレームＡとフレームＡ−Ｂから生成したフレームＡ−［Ａ−Ｂ］を出力し、フレームＡ−ＢとフレームＢから生成したフレーム［Ａ−Ｂ］−Ｂを出力する。即ち、二度書きではない補間フレームで表示フレーム画像が構成されるので、動きの滑らかな表示映像となる。